【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
試料と試薬とを混合することにより調製された測定試料を分析するための試料分析装置であって、
複数の試薬が配置される試薬配置部と、
表示部と、
前記表示部に表示された表示画面に対して所定の操作を行うための操作部と、
前記試薬配置部における各試薬の配置状態に対応して、少なくとも試薬名が記された各試薬マークを前記操作部によって指定可能に表示する試薬配置表示領域を含む試薬管理画面とともに、前記操作部によって指定された試薬マークに対応する試薬に関する詳細情報を前記表示部に表示させる表示制御部とを備える、試料分析装置。
【請求項２】
前記試薬管理画面は、前記試薬配置表示領域と前記指定された試薬マークに対応する試薬に関する詳細情報を表示する試薬詳細情報表示領域とを含む、請求項１に記載の試料分析装置。
【請求項３】
前記試薬配置部は、複数の試薬を収納した試薬ラックを複数配置可能であり、
前記表示制御部は、前記複数の試薬ラックにそれぞれ収納された各試薬の配置状態に対応して、各試薬マークを表示するように前記表示部を制御する、請求項２に記載の試料分析装置。
【請求項４】
前記表示制御部は、前記試薬配置表示領域において、前記指定された試薬マークを前記指定された試薬マーク以外の試薬マークと識別可能に表示するように前記表示部を制御する、請求項２または３に記載の試料分析装置。
【請求項５】
前記表示制御部は、前記試薬マークに前記試薬の残量を認識可能に表示するように前記表示部を制御する、請求項２〜４のいずれか１項に記載の試料分析装置。
【請求項６】
前記表示制御部は、前記試薬の残量を前記試薬の残量に対応して少なくとも色分け表示するように前記表示部を制御する、請求項５に記載の試料分析装置。
【請求項７】
前記表示制御部は、前記試薬マークに、配置された前記試薬ラックを特定する試薬ラック情報および前記試薬ラックにおける前記試薬マークに対応する試薬の収納位置を示す位置情報を表示するように前記表示部を制御する、請求項３に記載の試料分析装置。
【請求項８】
前記表示制御部は、前記指定された試薬マークに対応する試薬のロット番号を示す試薬ロット情報および前記試薬の有効期限を示す試薬有効期限情報を、前記試薬詳細情報表示領域に表示するように前記表示部を制御する、請求項２〜７のいずれか１項に記載の試料分析装置。
【請求項９】
前記表示制御部は、前記指定された試薬マークに対応する試薬の残テスト数を示す試薬残テスト情報と、前記試薬のセット日を示す試薬セット情報とのうち少なくとも１つを前記試薬詳細情報表示領域に表示するように前記表示部を制御する、請求項２〜７のいずれか１項に記載の試料分析装置。
【請求項１０】
前記試薬配置部は、各試薬を環状に配置可能で、かつ、回転可能であり、
前記試薬配置表示領域は、前記試薬配置部における試薬の環状の配置に対応して、前記試薬マークを環状に表示する、請求項１〜９のいずれか１項に記載の試料分析装置。
【請求項１１】
試料と試薬とを混合することにより調製された測定試料を分析するための試料分析装置であって、
複数の試薬が配置される試薬配置部と、
表示部と、
前記表示部に表示された表示画面に対して所定の操作を行うための操作部と、
前記試薬配置部における試薬の配置領域に対応して、少なくとも試薬名が記された各試薬マークを前記操作部によって指定可能に表示する試薬配置表示領域と、少なくとも前記操作部によって指定された試薬マークに対応して試薬の交換を行うための試薬交換ボタンを指定可能に表示する操作手段表示領域とを含む試薬管理画面を前記表示部に表示させる表示制御部とを備える、試料分析装置。
【請求項１２】
前記試薬管理画面は、前記指定された試薬マークに対応する試薬の詳細情報を表示する試薬詳細情報表示領域をさらに含む、請求項１１に記載の試料分析装置。
【請求項１３】
前記操作手段表示領域には、前記試薬交換ボタンに加えて、前記指定された試薬マークに対応する試薬の詳細情報を編集するための試薬情報編集ボタンが指定可能に表示される、請求項１２に記載の試料分析装置。
【請求項１４】
前記試薬の詳細情報を編集するための試薬情報編集ボタンは、前記試薬の詳細情報を編集するための編集画面を表示させる機能を有する、請求項１３に記載の試料分析装置。
【請求項１５】
前記表示制御部は、前記指定された試薬マークを前記指定された試薬マーク以外の試薬マークと識別可能に表示するように前記表示部を制御する、請求項１１〜１４のいずれか１項に記載の試料分析装置。
【請求項１６】
前記表示制御部は、試薬の交換時において、使用者が前記試薬配置部に配置された試薬を取り出すことが可能な取出可能状態と、前記試薬の交換のための試薬交換ボタンを指定してから前記取出可能状態になるまでの待機状態とを前記表示部に色分け表示するように前記表示部を制御する、請求項１１〜１５のいずれか１項に記載の試料分析装置。
【請求項１７】
前記試薬配置領域には、前記試薬配置部のうち試薬が配置されていない部分に対応して、前記試薬マークに対して識別可能な試薬未配置マークが指定可能に表示され、
前記少なくとも試薬の交換を行うための試薬交換ボタンは、前記試薬配置部のうち指定された試薬未配置マークに対応する部分に試薬を追加するための機能も有する、請求項１１〜１６のいずれか１項に記載の試料分析装置。
【請求項１８】
試料と試薬とを混合することにより調製した測定試料を分析するための試料分析装置であって、
複数の試薬を移動可能に配置する試薬配置部と、
表示部と、
前記表示部に表示された表示画面に対して所定の操作を行うための操作部と、
前記試薬配置部における各試薬の配置状態に対応して、少なくとも試薬名が記された各試薬マークを前記操作部によって指定可能に表示する試薬配置表示領域を含む試薬管理画面を前記表示部に表示させる表示制御部とを備え、
前記表示制御部は、前記試薬マークに対応する試薬が分析に使用することが困難である場合に、前記試薬マークに対応する試薬が分析に使用することが困難であることを前記表示部に識別可能に表示させる、試料分析装置。
【手続補正２】
【補正対象書類名】明細書
【補正対象項目名】００１９
【補正方法】変更
【補正の内容】
【００１９】
この発明の第２の局面による試料分析装置は、試料と試薬とを混合することにより調製した測定試料を分析するための試料分析装置であって、複数の試薬を移動可能に配置する試薬配置部と、表示部と、表示部に表示された表示画面に対して所定の操作を行うための操作部と、試薬配置部における各試薬の配置状態に対応して、少なくとも試薬名が記された各試薬マークを操作部によって指定可能に表示する試薬配置表示領域と、少なくとも操作部によって指定された試薬マークに対応して試薬の交換を行うための試薬交換ボタンを指定可能に表示する操作手段表示領域とを含む試薬管理画面を前記表示部に表示させる表示制御部とを備える。
【手続補正３】
【補正対象書類名】明細書
【補正対象項目名】００２０
【補正方法】変更
【補正の内容】
【００２０】
この第２の局面による試料分析装置では、上記のように、試薬名が記された各試薬マークを指定可能に表示する試薬配置表示領域と、少なくとも操作部によって指定された試薬マークに対応して試薬の交換を行うための試薬交換ボタンを表示する操作手段表示領域とを試薬管理画面に設けることによって、試薬管理画面の試薬配置表示領域において試薬を指定した後、同じ試薬管理画面の操作手段表示領域において、指定した試薬の交換を行うための試薬交換ボタンにより試薬の交換を行うことができる。これにより、使用者は、容易に、試薬の交換を行うことができる。
【手続補正４】
【補正対象書類名】明細書
【補正対象項目名】００２２
【補正方法】変更
【補正の内容】
【００２２】
この場合、好ましくは、操作手段表示領域には、試薬交換ボタンに加えて、指定された試薬マークに対応する試薬の詳細情報を編集するための試薬情報編集ボタンが指定可能に表示される。このように構成すれば、使用者は、試薬管理画面の試薬詳細情報表示領域に表示される試薬の詳細情報を、同じ試薬管理画面の操作手段表示領域に表示される試薬情報編集ボタンを指定することにより編集することができる。これにより、使用者の利便性を向上させることができる。
【手続補正５】
【補正対象書類名】明細書
【補正対象項目名】００２３
【補正方法】変更
【補正の内容】
【００２３】
上記操作手段表示領域に、試薬詳細情報表示領域に表示される試薬の詳細情報を編集するための試薬情報編集ボタンが表示される構成において、好ましくは、試薬の詳細情報を編集するための試薬情報編集ボタンは、試薬の詳細情報を編集するための編集画面を表示させる機能を有する。このように構成すれば、使用者は、編集画面により試薬の詳細情報を容易に編集することができる。
【手続補正６】
【補正対象書類名】明細書
【補正対象項目名】００２５
【補正方法】変更
【補正の内容】
【００２５】
上記第２の局面による試料分析装置において、好ましくは、表示制御部は、試薬の交換時において、使用者が試薬配置部に配置された試薬を取り出すことが可能な取出可能状態と、試薬の交換のための試薬交換ボタンを指定してから取出可能状態になるまでの待機状態とを色分け表示するように表示部を制御する。このように構成すれば、使用者は、表示部の色分け表示により、取出可能状態と待機状態とを判断することができるので、容易に試薬の交換を行うことができる。
【手続補正７】
【補正対象書類名】明細書
【補正対象項目名】００２６
【補正方法】変更
【補正の内容】
【００２６】
上記第２の局面による試料分析装置において、好ましくは、試薬配置領域には、試薬配置部のうち試薬が配置されていない部分に対応して、試薬マークに対して識別可能な試薬未配置マークが指定可能に表示され、少なくとも試薬の交換を行うための試薬交換ボタンは、試薬配置部のうち指定された試薬未配置マークに対応する部分に試薬を追加するための機能も有する。このように構成すれば、使用者は、試薬未配置マークを指定して、試薬交換ボタンを押すことにより、試薬配置部のうち試薬が配置されていない部分に試薬を追加することができる。